(57)【要約】【課題】キャッチライト専用の光源を持つことなくバウンス撮影時にキャッチライト効果を得ることができる装置を備えたカメラ。【解決手段】バウンス撮影可能なストロボ装置２０と、ＡＦ用の補助光源２２とを備える。被写体輝度が所定値以下のときにＡＦ調整に合わせて発光する補助光源２２を、バウンス撮影のときにも発光させる。補助光源２２を、ストロボ装置２０の下方に設ける。拡散反射板２５をストロボ装置２０の標準位置におけるカメラ本体側となる下面部２０ａに設ける。補助光源２２は、ストロボ装置２０がバウンス位置にあるときは、撮影レンズのピント調節終了後に、マイクロモータ２４によって回転させられ、開口２６の方向に向いてセットされる。これによって、補助光源２２の光は、拡散反射板２５によって反射させられてから被写体を照射する。【選択図】図４
2009063612.tif 000002
【特許請求の範囲】
【請求項１】
カメラ本体の上部に設けられ、撮影レンズの光軸と平行にストロボ光を照射する標準位置と仰角でストロボ光を照射するバウンス位置との間で回動可能なストロボ装置と、
前記ストロボ装置の下方に配置され、被写体画像のコントラストに応じて撮影レンズのピント調節を行う際に被写体に向けて発光する補助光源と、
を備えたカメラにおいて、
前記ストロボ装置の前記標準位置におけるカメラ本体側となる下面部に設けられた反射手段と、
前記ストロボ装置がバウンス位置にあるときは、前記補助光源の発光する光が前記反射手段を介して前記被写体を照射するように、前記補助光源の光路を変更する光路変更手段と、
前記ストロボ装置がバウンス位置にあるときは、前記ストロボ装置の発光に合わせて前記補助光源を発光させる補助光源制御手段と、
を備えたことを特徴とするカメラ。
【請求項２】
前記光路変更手段は、
被写体輝度が所定値以下のときには、前記撮影レンズのピント調節が行われた後に前記補助光源の光路を変更し、
被写体輝度が所定値を超えたときには、前記ストロボ装置の発光が行われる前までに前記補助光源の光路を変更する
ことを特徴とする請求項１記載のカメラ。
【請求項３】
前記光路変更手段は、前記ストロボ装置が前記標準位置から前記バウンス位置へ移動することに連動して、前記補助光源の光路を変更することを特徴とする請求項１記載のカメラ。
【請求項４】
前記光路変更手段は、前記補助光源の姿勢を切り替える駆動装置であることを特徴とする請求項１ないし３いずれか記載のカメラ。
【請求項５】
前記光路変更手段は、前記補助光源の前に挿脱される補助反射板であることを特徴とする請求項１ないし３いずれか記載のカメラ。
【請求項６】
前記光路変更手段は、前記補助光源の前に配置され、入射した光を直進光と反射光に分割する光学部材であることを特徴とする請求項１ないし３いずれか記載のカメラ。
【請求項７】
前記反射手段は、前記ストロボ装置の下面部に固定された拡散反射板であることを特徴とする請求項１ないし６いずれか記載のカメラ。
【請求項８】
前記反射手段は、前記ストロボ装置が所定の角度以上に回転したときに、前記ストロボ装置から離れて前記所定の角度を保持する反射装置であることを特徴とする請求項１ないし６いずれか記載のカメラ。
【請求項９】
前記反射手段は、前記下面部に設けられたレール枠に挿脱可能に取り付けられ、光を反射させる形状に反射図柄が描かれた図柄反射板であることを特徴とする請求項１ないし６いずれか記載のカメラ。
【請求項１０】
前記反射手段は、前記下面部とカメラ本体との間で、一端側がカメラ本体に固定され他端側が前記下面部の先端に設けられた取付部材に取り付け可能に設けられ、それぞれに異なる形状の光を反射させる反射図柄が描かれた複数の図柄反射部材であることを特徴とする請求項１ないし６いずれか記載のカメラ。
【請求項１１】
前記ストロボ装置は、前記下面部に、反射させる光の形状の開口を有するマスク板が挿脱可能に取り付けられるレール枠を備え、
前記拡散反射板は、前記マスク板によって拡散反射板の一部が覆われたことを特徴とする請求項７記載のカメラ。
【請求項１２】
前記下面部とカメラ本体との間で、一端側がカメラ本体に固定され他端側が前記下面部の先端に設けられた取付部材に取り付け可能に設けられ、反射させる光の形状がそれぞれに異なる開口を有する複数のマスク部材を備え、
前記拡散反射板は、前記マスク部材によって拡散反射板の一部が覆われたことを特徴とする請求項７記載のカメラ。
【発明の詳細な説明】
【技術分野】
【０００１】
本発明は、照射方向を変更できる所謂バウンス撮影可能なストロボ装置と、被写体画像のコントラストに応じて撮影レンズのピント調節を行う際に被写体に向けて発光する補助光源と、を備えたカメラに関する。
【背景技術】
【０００２】
ＣＣＤなどの固体撮像素子で被写体像を撮像し、これにより得られた撮像信号をデジタルの画像データに変換して、画像データをメモリカードなどに記録するデジタルカメラが普及している。現在市販されているデジタルカメラには、被写体に向けてストロボ光を発するストロボ装置が標準装備されている。また、フォーカスレンズによる焦点調整を自動化したオートフォーカス装置が設けられている。
【０００３】
デジタルカメラで利用されるオートフォーカス装置としては、被写体像の鮮鋭度を元にフォーカスレンズの合焦位置を探索する、いわゆるコントラスト検出方式が主に採用されている。しかし、コントラスト検出方式は、露出量が十分でないと測距できないため、高輝度ＬＥＤなどによる補助光源を備えて、低輝度の場合のみ測距時に被写体に向けて補助光源を照射するようになっている。
【０００４】
一方、より自然な感じを出すための撮影テクニックとして、被写体に直接ストロボ光を照射するのではなく、天井に向けてストロボ照射を行うバウンス撮影が知られている。しかし、バウンス光だけでは、トップライトになってしまうため、全体に締まりのない写真になってしまう。これはカメラの光軸に沿った光が被写体に当たらないことから、被写体の人物の目に光が入射しないことによるものである。被写体の人物の目に光が当たると、光が目に写り込む所謂キャッチライト写真となり、人物がいきいきとした表情の写真を得ることができる。
【０００５】
下記特許文献１には、カメラに設けられたストロボ装置を上に向けてバウンス撮影を行うときに、発光部の先端にキャッチライト用の反射部材を取り付けたストロボ装置が記載されている。カメラの上方に向けて発光部から発した光の一部が、前記反射部材にて反射され、カメラのレンズ光軸と平行な光となって被写体に照射され、キャッチライト効果を生じさせる。
【０００６】
下記特許文献２には、発光管を有する可動反射鏡の更に先端側に反射部材が貼り付けられたズームストロボが記載されている。この反射部材の一部が光透過性パネルに成っていて、内部の光が外側に透過できるようになっている。バウンス撮影時に、この光透過性パネルから洩れた光の一部が、光軸と平行な光となって被写体を照射し、キャッチライト効果が生じる。
【特許文献１】特開平０８−０８７０５６号公報
【特許文献２】特開２００３−２９５２６２号公報
【発明の開示】
【発明が解決しようとする課題】
【０００７】
前述の特許文献に記載された発明では、キャッチライトのための光が狭い範囲であったり、少ない光量であるため、十分なキャッチライト効果が得られない。これを解決するためには、キャッチライト専用の光源を持つことが有効であるが、カメラ本体にそのためのスペースが必要となり、その分カメラ本体のサイズが大きくなってしまう。
【０００８】
本発明は、上記課題に鑑みてなされたものであり、バウンス撮影時でもキャッチライト専用の光源を持つことなく十分なキャッチライト効果を得ることができ、更に、被写体である人の目に写し込まれるキャッチライトの形状を数種類から選択できるようにしたバウンス撮影可能なストロボ装置を備えたカメラを提供する。
【課題を解決するための手段】
【０００９】
上記目的を達成するために、本発明によるカメラは、カメラ本体の上部に、撮影レンズの光軸と平行にストロボ光を照射する標準位置と仰角でストロボ光を照射するバウンス位置との間で回動可能なストロボ装置を設け、該ストロボ装置の前記標準位置におけるカメラ本体側となる下面部に反射手段を設ける。前記ストロボ装置の下方に、被写体画像のコントラストに応じて撮影レンズのピント調節を行う際に被写体に向けて発光する補助光源を設ける。前記ストロボ装置がバウンス位置にあるときに前記ストロボ装置の発光に合わせて前記補助光源を発光させる補助光源発光手段を備え、前記補助光源が前記ストロボ装置の発光に合わせて発光する光が前記反射手段を介して前記被写体を照射されるように、前記補助光源の光路を変更する光路変更手段を設ける。
【００１０】
前記光路変更手段は、被写体輝度が所定値以下のときには、前記撮影レンズのピント調節が行われた後に前記補助光源の光路を変更し、被写体輝度が所定値を超えたときには、前記ストロボ装置の発光が行われる前までに前記補助光源の光路を変更する。
【００１１】
前記光路変更手段は、前記ストロボ装置が前記標準位置から前記バウンス位置へ移動することに連動して、前記補助光源の光路を変更する。
【００１２】
前記光路変更手段は、前記補助光源の姿勢を切り替える駆動装置であり、例えば前記補助光源にベルト連結したマイクロモータや、前記ストロボ装置の回転力を伝達して前記補助光源の姿勢を変えるタイミングベルトである。
【００１３】
前記光路変更手段は、前記補助光源の前に挿脱される補助反射板であり、前記ストロボ装置が標準位置にあるときには、前記補助光源の光路上から退避した位置にあり、前記補助光源の発する光は光源（例えば、高輝度ＬＥＤ）から直進して被写体を照射し、前記ストロボ装置がバウンス位置にあるときには、前記補助光源の光路上に挿入されて前記補助光源の発する光を前記拡散反射板の方向に反射して前記補助光源の光路を変更する。
【００１４】
前記光路変更手段は、前記補助光源の光路上に配置された光学部材であり、入射した光を直進光と反射光に分割する。光学部材としては、例えばハーフミラーや２つの直角プリズムを貼り合せた分割プリズムなどがある。
【００１５】
前記反射手段は、前記下面部に固定された拡散反射板であり、前記補助光源の光を拡散して反射する。あるいは、前記ストロボ装置が標準位置とバウンス位置との間を回動するときに前記下面部に追随して回動するように前記ストロボ装置の回転軸近傍、あるいは回転軸近傍のカメラ本体に軸支された反射装置である。前記ストロボ装置が所定の角度以上に回転したときには、前記ストロボ装置から離れて前記所定の角度を保持するようにすると良い。
【００１６】
前記反射手段として、光を反射させる形状の図柄が描かれた図柄反射板を、前記下面部に設けられたレール枠に挿脱可能に取り付ける方法を用いても良い。
【００１７】
前記反射手段として、それぞれに異なる形状の光を反射させる図柄が描かれた複数の図柄反射部材を、前記下面部とカメラ本体との間に配置しても良い。前記ストロボ装置の回動支点側となる一端側がカメラ本体に固定され、他端側が前記下面部の先端に設けられた取付部材に取り付け可能に設ける。
【００１８】
前記ストロボ装置は、前記下面部に、反射させる光の形状の開口を有するマスク板が挿脱可能に取り付けられるレール枠を備え、前記拡散反射板は、前記マスク板によって拡散反射板の一部が覆われ、前記マスク板の開口の形状に光を反射させる。
【００１９】
前記ストロボ装置の下面部とカメラ本体との間に複数のマスク部材を備える。複数のマスク部材は、前記ストロボ装置の回動支点側となる一端側がカメラ本体に固定される。前記下面部の先端には前記マスク部材の他端側が取り付け可能な取付部材を設ける。複数のマスク部材は、それぞれに異なる開口を有する。前記拡散反射板は、前記マスク部材によって拡散反射板の一部が覆われ、前記マスク板の開口の形状に光を反射させる。
【発明の効果】
【００２０】
本発明によれば、バウンスストロボ撮影時でもキャッチライト専用の光源を持つことなく、十分なキャッチライト効果が得られるのでいきいきした表情の被写体画像を得ることができる。更に、被写体である人の目に写し込まれるキャッチライトの形状を数種類から選択できるようにしたので、被写体画像に対する興味を増す効果が期待できる。
【発明を実施するための最良の形態】
【００２１】
図１および図２に示すように、本発明によるデジタルカメラ１０は、略直方体形状のカメラ本体１１の前面に、撮影レンズ１２を備えたレンズ鏡胴１３とファインダ１４の対物窓１４ａが設けられている。カメラ本体１１の上面には、レリーズボタン１５、電源ボタン１６、モード選択ボタン１７が設けられている。カメラ本体１１の上部中央には、後述するストロボ収納部２１にストロボ装置２０が収納されている。ストロボ装置２０は、カメラ本体１１の背面側に回動中心を有し、撮影レンズ１２の光軸と平行に光を照射する標準位置と、斜め上方に４５°傾けたバウンス位置との間で回動自在に、カメラ本体１１取り付けられている。
【００２２】
カメラ本体１１の背面には、ファインダ接眼窓１４ｂ（図示せず）や、画像を表示する表示手段であるＬＣＤパネル１８（図５参照）が設けられている。ＬＣＤパネル１８の表面はタッチパネルになっており、ＬＣＤパネル１８に表示された操作アイコンに対して、ユーザの指、又は付属する操作ペン（図示せず）などを用いて、タッチパネルに接触することによって操作を行うことができる。カメラ本体１１の右手クリップ側は、前後に突出しており、撮影者が把持するグリップ部１１ａを構成している。グリップ部１１ａの上部前方には、レリーズボタン１５などが設けられている。
【００２３】
カメラ本体１１の底面には、画像データが記憶されるメモリカード１９が着脱自在に装填されるスロット（図示せず）が設けられており、メモリカード１９に撮影された画像データが書き込まれて保存される。
【００２４】
レリーズボタン１５は、二段階押しのスイッチである。カメラ本体１１の左手側上部に設けられたファインダ１４あるいはＬＣＤパネル１８によって被写体のフレーミングを決めた後に、レリーズボタン１５が軽く押圧（半押し）されると、自動露出調整（ＡＥ）、自動焦点調整（ＡＦ）などの各種撮影準備処理が施され、この状態でレリーズボタン１５がもう１度強く押圧（全押し）されると、設定された露出条件の下で一回の撮影が行われる。
【００２５】
図３および図４に示すように、カメラ本体１１の上部で前記ストロボ装置２０の下方近傍には、補助光源２２が設けられている。補助光源２２は、補助光源制御回路（補助光源制御手段）３６によって、後述するＡＦ検出のタイミングに合わせて発光する第１の発光と、前記ストロボ装置２０の発光に合わせて発光する第２の発光とを行う。前記第１の発光は、前記カメラ本体１１の外装部に設けられた投光窓２３を通して撮影レンズ１２の光軸と平行に発光する。前記第２の発光は、前記ストロボ装置２０が手動あるいは電動によって回動されてバウンス位置にあるとき、前記撮影レンズ１２のピント合わせが終了した後にマイクロモータ（光路変更手段、駆動装置）２４によって補助光源２２が回動されて、補助光源２２発する光の方向が前記ストロボ装置２０の方向に変化する。ストロボ装置２０の下面部２０ａには拡散反射板（反射手段）２５が固定されており、バウンス位置では被写体に向いて露呈する。ストロボ収納部２１の底面には、バウンス撮影時に拡散反射板２５に向けて補助光源２２の発する光が通過する開口２６が設けられている。補助光源２２発する光は、開口２６を通過した後に拡散反射板２５で反射されて被写体を照射する。被写体を照射する光は、拡散反射板２５で広範囲に拡散されているので、画面全体にキャッチライト効果が期待できる。
【００２６】
ストロボ装置２０には、プロテクタ３２、リフレクタ３３およびＸｅ管３４からなる発光部３５の他に、図示および説明は省略するが、メインコンデンサや充電回路、発光トリガ回路などが実装された回路基板がユニット化されて収められている。発光部３５は、ストロボ撮影を行うときにはレリーズに同期してストロボ光を被写体に向けて照射する。発光量は、ストロボ光による露光量が適正となるように撮影距離、撮影感度、絞り値に応じて決定される。ストロボ装置２０が標準位置にある場合、被写体輝度が所定レベルより低いときには、ストロボ発光が行われ、被写体輝度が所定レベルより高いときには、ストロボ発光は行われない。
【００２７】
詳しくは後述するが、ＡＦ検出回路２８およびレンズモータ２９、モータドライバ３０（以上、図５参照）が設けられてオートフォーカス装置を構成し、被写体画像の鮮鋭度を検出して撮影レンズ１２のピント調節を行う。ＡＦ検出回路２８によって検出された情報によってモータドライバ３０を介してレンズモータ２９が制御され、撮影レンズ１２のピント合わせが行われる。このとき、前記補助光源２２は、ＡＦ検出に先立って行われる露出量の適否検出の結果が否である場合には前記第１の発光を実行する。前記補助光源２２の発した光は、前記投光窓２３を通して被写体に照射され、これによって前記ＡＦ検出回路２８の検出性能は向上する。また、露出量の適否検出の結果が適である場合には、前記補助光源２２による前記第１の発光は実行されない。
【００２８】
図５に示すように、カメラ１０の電気的構成は、前述した補助光源２２、補助光源制御回路３６、ＡＦ検出回路２８、レンズモータ２９、モータドライバ３０の他に、絞り３７、絞り３７を駆動するアイリスモータ３８、これを制御するモータドライバ３９が設けられる。レンズモータ２９、アイリスモータ３８はステッピングモータであり、ＣＰＵ４０に接続された前記モータドライバ３０、３９から送信される駆動パルスにより動作制御される。レンズモータ２９は、撮影レンズ１２を移動させて合焦位置に停止させ、アイリスモータ３８は、絞り３７を動作させ、絞り径を調整する。
【００２９】
撮像レンズ１２および絞り３７の背後には、被写体像を撮像するＣＣＤ４１が配置され、ＣＣＤ４１にはＣＰＵ４０によって制御されるＣＣＤドライバ４２が接続されている。ＣＣＤドライバ４２は、ＣＣＤ４１の電荷蓄積時間と電荷掃き出しタイミングを制御するためのタイミング信号（クロックパルス）をＣＣＤ４１に出力する。
【００３０】
ＣＣＤ４１から出力された撮像信号は、相関二重サンプリング回路（以下、ＣＤＳと略す）４３に入力される。ＣＤＳ４３は、ＣＣＤ４１の各セルの蓄積電荷量に正確に対応したＲ、Ｇ、Ｂの画像データを出力する。増幅器（以下、ＡＭＰと略す）４４は、ＣＤＳ４３から出力された画像データを、所定のゲインで増幅する。Ａ／Ｄ変換器（以下、Ａ／Ｄと略す）４５は、ＡＭＰ４４で増幅されたアナログの画像データを、デジタルの画像データに変換する。
【００３１】
画像入力コントローラ４６は、バス４７を介してＣＰＵ４０に接続され、ＣＰＵ４０の制御命令に応じて、ＣＣＤ４１、ＣＤＳ４３、ＡＭＰ４４、およびＡ／Ｄ４５を制御する。Ａ／Ｄ４５から出力された画像データは、ＳＤＲＡＭ４８に一旦格納される。
【００３２】
画像信号処理回路４９は、ＳＤＲＡＭ４８から画像データを読み出して、階調変換、ホワイトバランス補正、γ補正処理などの各種画像処理を施し、この画像データを再度ＳＤＲＡＭ４８に格納する。ＹＣ変換処理回路５０は、画像信号処理回路４９で各種処理を施された画像データをＳＤＲＡＭ４８から読み出し、輝度信号Ｙと色差信号Ｃｒ、Ｃｂとに変換する。
【００３３】
ＶＲＡＭ５１は、ＬＣＤパネル１８にスルー画像を出力するためのメモリであり、画像信号処理回路４９、ＹＣ変換処理回路５０を経た画像データを格納する。ＶＲＡＭ５１には、画像データの書き込みと読み出しを並行して行えるように、２フレーム分のメモリが確保されている。ＶＲＡＭ５１に格納された画像データは、ＬＣＤドライバ５２でアナログのコンポジット信号に変換され、ＬＣＤパネル１８にスルー画像として表示される。
【００３４】
圧縮伸長処理回路５３は、ＹＣ変換処理回路５０でＹＣ変換された画像データに対して、所定の圧縮形式（例えばＪＰＥＧ形式）で画像圧縮を施す。圧縮された画像データは、メディアコントローラ５４を経由してメモリカード１９に記録される。また、メモリカード１９に記録された画像データは、メディアコントローラ５４を経てＳＤＲＡＭ４８に一旦格納され、圧縮伸張処理回路５３に読み出されて、圧縮される前の画像データに伸張される。
【００３５】
バス４７には、露出量、すなわち電子シャッタのシャッタ速度、および絞り３７の絞り径が撮影に適切か否かを検出するとともに、ホワイトバランスが撮影に適切か否かを検出するＡＥ／ＡＷＢ検出回路５６、撮像光学系１０の焦点調整が撮影に適切か否かを検出するＡＦ検出回路２８、および発光部３５の動作を制御するストロボ制御回路５７が接続されている。
【００３６】
ＡＥ／ＡＷＢ検出回路５６は、ＹＣ変換処理回路５０でＹＣ変換された画像データの輝度信号Ｙと色差信号Ｃｒ、Ｃｂとの積算値を元に、露出量、およびホワイトバランスの適否を検出し、この検出結果をＣＰＵ４０に送信する。ＡＥ／ＡＷＢ検出回路５６は、スルー画像の表示中は所定のサイクルで作動している。スルー画像の表示中は、ＡＥ／ＡＷＢ検出回路５６で決定された露出量に応じて、モータドライバ７５によりアイリスモータ３８が動作され、絞り３７の絞り径が制御される。絞り径のみで適正な露出量にすることができない場合は、ＣＣＤドライバ４２によりＣＣＤ４１の電荷蓄積時間が制御される。
【００３７】
また、ＡＥ／ＡＷＢ検出回路５６によって、検出された露出量によって被写体輝度が判定され、被写体輝度が所定値を超えている場合は、ＡＦ検出回路２８によってＡＦ検出が行われ、その検出結果に基づいて、ＣＰＵ４０により撮像レンズ１２、絞り３７、およびＣＣＤ４１の動作が制御されて、適正な露出量、ホワイトバランス補正量、および焦点距離となるように撮影準備処理が施される。被写体輝度が所定値以下の場合は、ＡＦ検出回路２８によってＡＦ検出が行われる際に補助光源２２が発光する。これによってＡＦ検出回路２８の精度向上が図られる。
【００３８】
ＡＦ検出回路２８は、Ａ／Ｄ４５でデジタル化された画像データから画像の鮮鋭度を表すフォーカス評価値を算出し、この算出結果をＣＰＵ４０に送信する。フォーカス評価値は、画像の特定のエリア、例えば、撮影画角の中央部分の画像データに対して、バンドパスフィルタなどで輪郭抽出処理を施し、これにより抽出した輪郭信号、および中央部分の画像データの輝度値を積算することで得られる。フォーカス評価値が大きいほどその部分の高周波成分が多く、その部分が合焦状態にあることを表している。
【００３９】
ＣＰＵ４０は、レリーズボタン１５の半押しに伴う撮影準備処理時に、撮影レンズ１２の合焦位置の探索範囲を決定し、モータドライバ３０を介してレンズモータ２９の動作を制御して、決定した探索範囲内で、撮像レンズ１２を光軸に沿って、例えば遠点側から近点側に移動させる。そして、そのときＡＦ検出回路２８から順次送信されるフォーカス評価値の大小を比較することで、フォーカス評価値が最大となる位置、つまり合焦位置で撮影レンズ１２を停止させる。
【００４０】
ＣＰＵ４０には、前述のレリーズボタン１５やその他の操作部５８によってオンオフするスイッチの他に、前記ストロボ装置２０の位置を検出する位置検出スイッチ５９およびＥＥＰＲＯＭ６０が接続されている。ＥＥＰＲＯＭ５５には、各種制御用のプログラムや設定情報などが記録されている。ＣＰＵ４０は、これらの情報をＥＥＰＲＯＭ５５から作業用メモリであるＳＤＲＡＭ４８に読み出して、各種処理を実行する。
【００４１】
次に、上記構成によるデジタルカメラ１０の作用について説明する。電源ボタン１６をオンすると、ストロボ装置２０のメインコンデンサの充電が開始し充電中であることがＬＥＤ（図示せず）あるいはＬＣＤパネル１８によって表示される。充電が完了すると、撮影レンズ１２、絞り３７を介して入射した被写体像がＣＣＤ４１の撮像面に結像され、これによりＣＣＤ４１から撮像信号が出力される。ＣＣＤ４１から出力された撮像信号は、ＣＤＳ４３で相関二重サンプリングされてＡＭＰ４４で増幅され、Ａ／Ｄ４５でデジタルの画像データに変換される。Ａ／Ｄ４５でデジタル化された画像データは、データバス４７を介してＳＤＲＡＭ４８に入力され、ＳＤＲＡＭ４８に一旦格納される。ＳＤＲＡＭ４８に格納された画像データは、画像信号処理回路４９で各種画像処理が施され、ＹＣ変換処理回路５０で簡易ＹＣ変換が施された後、ＶＲＡＭ５１に格納される。ＶＲＡＭ５１に格納された画像データは、逐次ＬＣＤドライバ５２に読み出されて、ＬＣＤドライバ５２でコンポジット信号に変換され、ＬＣＤパネル１８にスルー画像として表示される。
【００４２】
図６のフローチャートに示すように、スルー画像の表示中にレリーズボタン１５が半押しされると、ＡＥ／ＡＷＢ検出回路５６によって被写体輝度が判定され、被写体輝度が所定値を超えている場合には直ちに、被写体輝度が所定値以下の場合には補助光源制御回路３６により補助光源２２が発光してＡＦ検出回路２８の検出精度の向上が図られて、ＡＦ検出回路２８によるＡＦ検出が行われる。その検出結果に基づいて、ＣＰＵ４０により撮影レンズ１２、絞り３７、およびＣＣＤ４１の動作が制御されて、適正な露出量、ホワイトバランス補正量、および焦点距離となるように撮影準備処理が施される。
【００４３】
前記ストロボ装置２０の撮影位置がストロボ位置検出スイッチ５９によって確認され、バウンス位置の場合は、補助光源２２がマイクロモータ２４によって回転させられ、上方に配置された開口２６の方向にセットされる。このとき、ストロボ位置検出スイッチ５９は、ストロボ装置２０がバウンス位置であることをＣＰＵ４０に伝達しているので、前記補助光源２２は、発光可能な状態となっている。前記ストロボ装置２０が標準位置の場合は、前記補助光源２２は回転されずまた発光可能な状態となっていない。こうして撮影準備が完了する。
【００４４】
レリーズボタン１５が全押しされると、ストロボ撮影が選択されていない場合は、前述の撮影準備処理の条件で撮影が実行される。ストロボ撮影が選択され前記ストロボ装置２０が標準位置にある場合は、前記ストロボ装置２０の発光部３５からストロボ光が被写体に向けて発光し、撮影が実行される。前記ストロボ装置２０がバウンス位置にありバウンスストロボ撮影が選択されている場合は前記ストロボ装置２０の発光に合わせて前記補助光源２２が発光する。補助光源２２が発光した光は、開口２６を通過し、ストロボ装置２０の下面部２０ａに設けられた拡散反射板２５によって反射され、拡散光となって被写体に向かって照射される。この拡散光は被写体である人の瞳を確実に照射するので、瞳の中に光が写り込むキャッチライト撮影が実行される。
【００４５】
撮影により得られた画像データはＳＤＲＡＭ４８に格納される。ＳＤＲＡＭ４８に格納された画像データは、画像信号処理回路４９に読み出されて各種画像処理が施された後、ＳＤＲＡＭ４８に再び格納される。そして、ＹＣ変換処理回路５０に読み出されて本格的なＹＣ変換が施された後、圧縮伸張処理回路５３で圧縮処理され、ＳＤＲＡＭ４８に再び格納される。ＳＤＲＡＭ４８に格納された圧縮処理後の画像データは、メディアコントローラ５４に読み出され、メディアコントローラ５４の制御の下にメモリカード１９に記録される。
【００４６】
次に、本発明による光路変更手段の別の実施形態について説明する。図７に示すように、デジタルカメラ６０には、前記標準位置とバウンス位置との間で回動可能なストロボ装置６１の側面に設けられたベルト車６１ａと、前記補助光源２２に設けられ前記補助光源２２を回転可能に支える軸２２ａの間を連結するタイミングベルト（光路変更手段、駆動装置）６２が設けられている。
【００４７】
図８に示すように、ストロボ装置６１が標準位置からバウンス位置に回動すると、補助光源２２はタイミングベルト６２によって同じ方向に回転させられる。前記ベルト車６１ａの直径と軸２２ａの直径の比は２対１になっており、ストロボ装置６１が４５°回転すると補助光源２２は９０°回転する。これによって補助光源２２の発光する方向は、撮影レンズ１２と平行な方向からストロボ装置６１の方向となる。これによって、補助光源２２の発する光は、上方に配置された開口２６を通って拡散反射板２５で反射され、拡散光となって被写体に向かって照射される。
【００４８】
この場合、ＡＦ検出時に前記補助光源２２が発光する光は前記拡散反射板２５で反射され照度が低下することになるので、かなりの低輝度時にはＡＦ検出回路２８によって被写体までの距離を検出することが困難になる場合がある。そこで前記デジタルカメラ６０は、ＡＦ検出回路２８の他に測距センサと測距回路による所謂三角測距を行う方式の測距装置を備えることが望ましい。この場合は、該測距装置とＡＦ検出回路２８の検出結果がＣＰＵ４０で併せて参照され、撮影レンズ１２のピント合わせが行われる。この場合においても、ＡＥ／ＡＷＢ検出回路５６で検出された露出量が所定の値よりも高い場合は、ＡＦ検出回路２８の検出結果のみを元に、前記ピント合わせが行われるが、低い場合には、前記補助光源２２が発光しなくても良い。
【００４９】
次に、本発明による光路変更手段の別の実施形態について説明する。図９に示すように、デジタルカメラ６４は、補助光源２２と投光窓２３の間に、光路切替装置（光路変更手段）６５が設けられている。光路切替装置６５は、カメラ本体１１に設けられたガイド部材（図示せず）によって上下に摺動可能に設けられた可動板６６の一端側にミラー（光路変更手段、補助反射板）６７が取り付けられ、可動板６６はバネ６８によって上方に付勢されている。ストロボ装置２０が、標準位置にあるときは、可動板６６の他端側がカメラ本体１１に設けられた開口６９を通ってストロボ装置２０の下面部２０ａに当接している。このとき、ミラー６７は補助光源２２と投光窓２３の間の光路上から退避している。
【００５０】
図１０に示すように、ストロボ装置２０が標準位置からバウンス位置に回動すると、バネ６８によって上方に付勢された可動板６６は下面部２０ａによる押圧から解除される。これによってミラー６７は上方に移動し、補助光源２２と投光窓２３の間の光路上に挿入され、補助光源２２の発する光を反射しカメラ本体１１に設けられた開口２６を通って拡散反射板２５で反射され、拡散光となって被写体に向かって照射される。
【００５１】
次に、本発明による光路変更手段の別の実施形態について説明する。図１１に示すように、デジタルカメラ７０は、補助光源２２と投光窓２３の間に、ハーフミラー（光路変更手段、光学部材）７１が設けられている。ハーフミラー７１は、補助光源２２の発する光を透過光７２ａと反射光７２ｂとに分割する。ストロボ装置２０が標準位置にあるときは、開口２６がストロボ装置２０の下面部２０ａによって塞がっているので、透過光７２ａが投光窓２３から照射されるのみである。ストロボ装置２０が標準位置からバウンス位置に回動すると、前記開口２６の閉鎖が解除され、反射光７２ｂは前記拡散反射板２５で反射され、拡散光となって被写体に向かって照射される。この場合、補助光源２２の発する光はハーフミラー７１で分割され、分割後の光量は少なくなるから、前述の実施形態に比べて、発光光量を大きくすることが望ましい。
【００５２】
あるいは、図１２に示すように、前記ハーフミラー７１に替えて分割プリズム（光路変更手段、光学部材）７３を設けても良い。
【００５３】
次に、ストロボ装置の下面部に設けられた反射手段の別の実施形態について説明する。図１３に示すように、デジタルカメラ７５のストロボ装置７６は、支持部７７ａがストロボ装置７６の回転軸７６ｃに取り付けられた反射装置（反射手段）７７を備えている。反射装置７７はバネ７８によってストロボ装置７６の標準位置からバウンス位置に向かって付勢され、ストロボ装置７６の標準位置からバウンス位置への回動に追随して回動する。ストロボ装置７６が４５°を超えて回動した場合、反射装置７７は、支持部７７ａの近傍に設けられたストッパ部７７ｃがカメラ本体１１に設けられた突起１１ｄに当接して、その回動が阻止され、４５°の位置で停止する。ストロボ装置７６がバウンス位置から標準位置に戻されたときは、ストロボ装置７６の下面部７６ｂに設けられたスペース７６ｄに収納されて標準位置に戻される。このように、ストロボ装置７６は状況に合わせてバウンス角度を４５°以上に設定可能であるから、撮影の自由度が増す。
【００５４】
次に、前記反射手段の別の実施形態について説明する。図１４に示すように、ストロボ装置８０は、下面部８０ａの周辺部分にレール枠８０ｂが設けられている。レール枠８０ｂには、図柄反射板８１（反射手段）が挿脱自在に取り付けることができる。図柄反射板８１には、光を反射させる領域の図柄８１ａが描かれており、異なる図画８１ａの描かれた図柄反射板８１が複数用意されている。これによって、撮影者が好きな図柄のキャッチライトを選択することができる。
【００５５】
次に、前記反射手段の別の実施形態について説明する。図１５に示すように、ストロボ装置８５は、下面部８５ａの周辺部分にレール枠８５ｂが設けられている。レール枠８５ｂには、マスク板８７が挿脱自在に取り付けることができる。前記下面部８５ａの中央部分には拡散反射板（反射手段）８８が設けられ、マスク板８７がレール枠８５ｂに装填されたときに、拡散反射板８８の開口８７ａから露呈した部分が、前記補助光源２２の発光した光を反射して、拡散光となって被写体を照射する。また、マスク板８７は、複数が用意され、それぞれに異なる図画の開口８７ａが設けられている。これによって、撮影者が好きな図柄のキャッチライトを選択することができる。
【００５６】
次に、前記反射手段の別の実施形態について説明する。図１６および図１７に示すように、デジタルカメラ９０は、ストロボ装置９１を収納するストロボ収納部９０ａに図柄反射シート（反射手段、図柄反射部材）９２を複数備える。図柄反射シート９２は、一端側がストロボ装置９１の回動中心近傍のカメラ本体１１に固定され、他端側がストロボ装置９１の下面部９１ｂの先端に設けられた取付部材９３に取り付け可能とされている。図１８に示すように、複数の図柄反射シート９２はそれぞれに異なる図柄の反射面９２ａを裏面に有し、表面には同じ図柄の絵９２ｂが描かれており、前記補助光源２２の発する光を透過する開口９２ｃが設けられている。複数の図柄反射シート９２は、めくり易くするために、それぞれにタグ９２ｄを設けても良い。タグ９２ｄにはそれぞれの図柄を小さく描いておくと良い。図柄反射シート９２はカメラ本体１１に固定されているので、無くす心配がない。
【００５７】
次に、前記反射手段の別の実施形態について説明する。図１９および図２０に示すように、デジタルカメラ９５は、ストロボ装置９６を収納するストロボ収納部９５ａにマスクシート９７を複数備える。マスクシート９７は、一端側がストロボ装置９６の回動中心近傍のカメラ本体１１に固定され、他端側がストロボ装置９６の下面部９６ｂの先端に設けられた取付部材９３に取り付け可能とされている。複数のマスクシート９７はそれぞれに異なる図柄の開口９７ａを有しており、前記補助光源２２の発する光を透過する。前記ストロボ装置９６の下面部９６ｂの中央部分には拡散反射板８８が設けられ、マスクシート９７が取付部材９３に取り付けられたときに、拡散反射板８８の前記開口９７ａから露呈した部分が、前記補助光源２２の発光した光を反射して、拡散光となって被写体を照射する。マスクシート９７はカメラ本体１１に固定されているので、無くす心配がない。
【００５８】
なお、本発明は上記実施形態の構成に限定されるものではなく、上記実施形態のすべてに、ＡＦ検出回路２８の他に測距センサと測距回路による所謂三角測距を行う方式の測距装置を備えても良い。ＡＦ検出回路２８と三角測距を行う方式の測距装置を常に両方作動させて、両方を合わせた結果によって撮影レンズ１２のピント合わせを行っても良い。あるいは、他の測距方式、例えば、被写体に赤外線などを照射して、その反射光を検出して被写体までの距離を測定する方式を採用してもよい。
【図面の簡単な説明】
【００５９】
【図１】本発明によるデジタルカメラの概観を示す斜視図である。
【図２】ストロボ装置がバウンス位置にあるときのデジタルカメラの概観を示す斜視図である。
【図３】図１における要部を示す断面図である。
【図４】図２における要部を示す断面図である。
【図５】デジタルカメラの電気的構成を示すブロック図である。
【図６】撮影の際の補助光源の使用有無についての動作手順を示すフローチャートである。
【図７】光路変更手段にタイミングベルトを用いた実施形態を示す断面図である。
【図８】図７におけるバウンス位置を示す断面図である。
【図９】光路変更手段の別の実施形態を示す断面図である。
【図１０】図７におけるバウンス位置を示す断面図である。
【図１１】光路変更手段にハーフミラーを用いた実施形態を示す断面図である。
【図１２】光路変更手段に分割プリズムを用いた実施形態を示す断面図である。
【図１３】反射手段の別の実施形態を示す断面図である。
【図１４】反射手段に図柄反射板を用いたストロボ装置の概観を示す斜視図である。
【図１５】反射手段の前にマスク板を用いたストロボ装置の概観を示す斜視図である。
【図１６】反射手段に図柄反射シートを用いたデジタルカメラの概観を示す斜視図である。
【図１７】図１６における要部を示す断面図である。
【図１８】図１６における図柄反射シートの概観を示す斜視図である。
【図１９】反射手段の前にマスクシートを用いたデジタルカメラの概観を示す斜視図である。
【図２０】図１９における要部を示す断面図である。
【符号の説明】
【００６０】
１０，６０，６４，７０，７５，９０，９５  デジタルカメラ
１１  カメラ本体
１２  撮影レンズ
２０，６１，７６，８０，８５，９１，９６  ストロボ装置
２０ａ，７６ｂ，８０ａ，８５ａ，９１ｂ，９６ｂ  下面部
２１，９０ａ，９５ａ  ストロボ収納部
２２  補助光源
２３  投光窓
２４  マイクロモータ（光路変更手段、駆動装置）
２５，８８  拡散反射板（反射手段）
２６，６９，８７ａ，９２ｃ，９７ａ  開口
２８  ＡＦ検出回路
２９  レンズモータ
３０  モータドライバ
３５  発光部
３６  補助光源制御回路（補助光源制御手段）
４０  ＣＰＵ
５７  ストロボ制御回路
５９  ストロボ位置検出スイッチ
６２  タイミングベルト（光路変更手段、駆動装置）
６５  光路切替装置（光路変更手段）
６６  可動板
６７  ミラー（光路変更手段、補助反射板）
７１  ハーフミラー（光路変更手段、光学部材）
７３  分割プリズム（光路変更手段、光学部材）
７７  反射装置（反射手段）
８１  図柄反射板（反射手段）
８７  マスク板
９２  図柄反射シート（反射手段）
９３  取付部材
９７  マスクシート
【図１】
2009063612.tif 000003
【図２】
2009063612.tif 000004
【図３】
2009063612.tif 000005
【図４】
2009063612.tif 000006
【図５】
2009063612.tif 000007
【図６】
2009063612.tif 000008
【図７】
2009063612.tif 000009
【図８】
2009063612.tif 000010
【図９】
2009063612.tif 000011
【図１０】
2009063612.tif 000012
【図１１】
2009063612.tif 000013
【図１２】
2009063612.tif 000014
【図１３】
2009063612.tif 000015
【図１４】
2009063612.tif 000016
【図１５】
2009063612.tif 000017
【図１６】
2009063612.tif 000018
【図１７】
2009063612.tif 000019
【図１８】
2009063612.tif 000020
【図１９】
2009063612.tif 000021
【図２０】
2009063612.tif 000022